(57)【要約】【課題】  従来の携帯端末からの無線インターネットコンテンツへの接続は、複雑で時間と面倒な作業の問題があった。これは携帯端末を使って、無線インターネットに接続して検索ページでの接続か又は直接ＵＲＬを入力して無線インターネットコンテンツにページへたどり着くため、使用者は入力途中に携帯端末通信が切れたり、入力を間違っていたりして非常に面倒で不便である。【解決手段】  携帯端末入力キー及び固有番号の組み合わせの入力で無線インターネットコンテンツ接続番号により簡単でより短い時間で無線インターネットコンテンツの直接情報に接続することができる。【選択図】図２
2008131629.tif 000002
【特許請求の範囲】
【請求項１】
携帯端末の携帯端末入力キー及び固有番号、特殊記号、メニュー／ホットキーの組み合わせでの接続番号を利用して、無線インターネットホームページ及びコンテンツに直接情報に接続するシステム。
【請求項２】
請求項１について、英語のドメイン及び日本語のドメイン又は日本語に一致する携帯端末入力キーの数字で無線インターネットコンテンツに直接情報に接続する方法。
【請求項３】
請求項１について、英語のドメイン及び日本語のドメイン又は日本語に一致する携帯端末入力キー＋特殊記号（＃又は＊）を押して無線インターネットコンテンツに直接情報に接続する方法。
【請求項４】
請求項１について、英語のドメイン及び日本語のドメイン又は日本語に一致する携帯端末入力キー＋特殊記号（＃又は＊）＋固有番号を押して無線インターネットコンテンツに直接情報に接続する方法。
【請求項５】
請求項１について、英文及び日本語にマーチングーされる数字及び固有番号、特殊記号、メニュー／ホットキーの組み合わせで無線インターネットコンテンツに直接情報に接続する方法。
【請求項６】
請求項１について、携帯端末利用者エージェントと携帯端末入力キー及び英文、英語、日本語、特殊記号を利用した無線インターネットコンテンツに直接情報に接続する方法。
【請求項７】
請求項１について、無線インターネット数字／日本語／数字と特殊記号及びメニュー／ホットキーの組み合わせの入力をＤＮＳで該当無線インターネットコンテンツに１：１又は１：Ｎに接続する接続システム及び制御方法。
【発明の詳細な説明】
【技術分野】
【０００１】  本発明は、携帯端末の数字のキー及び固有番号、特殊記号（＃又は＊）、メニュー／ホットキーの組み合わせでの接続番号を利用して簡単に無線インターネットコンテンツに接続できるサービスを提供する接続方式。
【背景技術】
【０００２】  既存の携帯端末から無線インターネットコンテンツに接続するためには複雑なＵＲＬを直接入力するか、または携帯電話会社のアプリケーションを理容して無線インターネットに接続後、文字を色々入力して検索ボタンを押してから検索されたページから接続する面倒な作業が必要な接続方式でしたのでこれを簡単に携帯端末から無線インターネットコンテンツに接続できるサービスを提供する接続方式です。【０００３】  図２により携帯端末からの無線インターネットコンテンツに接続する方法について説明する。例えば特許庁のドメイン（ｗｗｗ．Ｊｐｏ．ｇｏ．ｊｐ）に接続する方法を説明する。特許庁のドメインの中心になるネーミング部分のローマ字はｊｐｏである。そのｊｐｏの各文字に該当される携帯端末の入力キーは５７６になる。（携帯端末入力のキーに該当されるローマ字５の場合はｊｋｌ、７の場合はｐｑｒｓ、６の場合はｍｎｏ。）日本語の場合はとっきょちょうの文字に該当される携帯端末の入力キーは４４２８４８１になる。（携帯端末の入力キーに該当される日本語の文字４の場合は“たちつてとっ”、２の場合は“かきくけこ“、８の場合は”やゆよゃゅょ”、１の場合は”あいうえおぁぃぅぇぉ”。）【０００４】  図１により従来の携帯端末からの無線インターネットコンテンツ接続について説明する。
【発明の開示】
【発明が解決しようとする課題】
【０００５】  以上に述べた従来の携帯端末からの無線インターネットコンテンツに接続するためには使用者が複雑なＵＲＬを直接入力するか、または携帯端末サービス会社で提供してくれる無線インターネットを利用して無線インターネットに接続後、文字を色々入力して検索ボタンを押してから検索されたページから接続する面倒な作業が必要な接続方法であった。【０００６】  本発明は、このような無線インターネットコンテンツに接続するための複雑で面倒な作業の問題を解決しようとするものであり、複雑なＵＲＬを入力するかわりに接続番号を利用して、携帯端末から無線インターネットコンテンツへ直接接続方法であり、無線インターネットを利用する人々には短い時間に、より簡単に直接情報に接続できる利用環境改善を実現することを目的とするものである。
【課題を解決するための手段】
【０００７】  そして、本発明は上記目的を達成するためには携帯端末にアプリケーションソプトが内蔵された本体と、携帯端末交換機、ＷＥＢサーバー、ＷＡＰサーバー、ＳＭＳ受信サーバー、交換ＤＢサーバーを備えている既存の携帯端末通信業者からのサービス提供が必要とするものである。【０００８】  また、第２の課題解決手段は携帯端末の無線インターネット環境から携帯端末入力キーの数字及び固有番号、特殊記号、メニュー／ホットキーの組み合わせ番号識別情報データ通信用接続番号解釈プログラムが必要とするものである。
【発明の効果】
【０００９】  上述したように本発明の携帯端末ドメインアクセスシステムは、複雑で面倒な作業の問題を解決するとともに、使用者の方は無線インターネットコンテンツへ短い時間に、より簡単に直接情報に接続できるサービスを提供する。
【発明の実施するための最良の形態】
【００１０】  以下、図２、図３により本発明の携帯端末入力のキーを利用して無線インターネットコンテンツ接続について説明する。
【００１１】  例えば、特許庁のドメインｗｗｗ．Ｊｐｏ．ｇｏ．ｊｐの場合はドメインの中心になるネーミング部分の文字はｊｐｏですのでｊｐｏの各文字に該当される携帯端末入力キーの直接接続番号５７６の入力で直接接続する方法である。日本語の場合は“とっきょちょう”の文字に該当される携帯端末入力キーの直接接続番号４４２８４８１の入力でも直接接続する方法である。又は直接接続番号＋携帯端末のホットキー接続方式である。
【００１２】  携帯端末入力キー５７６＋＃又は＊（特殊記号）の入力又は、携帯端末入力キー４４２８４８１＋＃又は＊（特殊記号）の入力でも特許庁のホームページに直接接続する方法である。
又は＋携帯端末のホットキー接続方式である。
【００１３】携帯端末入力キー５７６＋＃又は＊（特殊記号）＋０（固有番号を０に決めた場合）の入力又は、携帯端末入力キー４４２８４８１＋＃又は＊（特殊記号）＋０（固有番号を０に決めた場合）を押して特許庁のホームページに直接接続する方法である。又は＋携帯端末のホットキー接続方式である。
【００１４】  例えばＴＨＡＮＫ  ＹＯＵ（サンキュウ）またはいろいろありがとうにマーチングーされる携帯端末入力キー１６１６３９の入力でも１６１６３９登録している無線インターネットコンテンツに直接接続する方法である。及び、携帯端末入力キー１６１６３９＋＃又は＊（特殊記号）又は、携帯端末入力キー１６１６３９＋＃又は＊（特殊記号）＋０（固有番号を０に決めた場合）を入力しても無線インターネットに直接接続する方法である。又は＋携帯端末のホットキー接続方式である。
【００１５】  無線インターネット数字／日本語／数字と特殊記号及びメニュー／ホットキーの組み合わせの入力で直接接続する方法である。
【００１６】  無線インターネットから英文／日本語ドメインに一致する数字を入力してからメニュー／ホットキー接続方式で該当無線インターネットコンテンツに直接接続する方法である。
【図面の簡単な説明】
【００１７】
【図１】    従来の携帯端末からの無線インターネットコンテンツ接続までの図。
【図２】    本発明の携帯端末入力のキーを利用して接続までの図。
【図３】    携帯端末からの解釈図。
【図１】
2008131629.tif 000003
【図２】
2008131629.tif 000004
【図３】
2008131629.tif 000005